(57)【要約】【課題】  ハンドルバーに容易に取り付けることができると共に、取り外しも簡単になし得るグリップを提供する。【解決手段】  ハンドルバー３に外嵌装着される硬質のベース筒５と、ベース筒５にその外周を包囲するように外嵌される被覆体６とを備え、被覆体６は硬質の内筒部１９と該内筒部１９の外周を覆う軟質の外筒部２０とを有している。また、前記被覆体６は、ベース筒５にその長手方向に一列状に並んで外嵌固定される複数のリング体２３を具備してなり、各リング体２３は互いに別体に構成されていて、硬質の内リング部２５と、軟質の外リング部２６とを有している。【選択図】図１
2014223818.tif 000002
【特許請求の範囲】
【請求項１】
ハンドルバー（３）に外嵌装着される硬質のベース筒（５）と、ベース筒（５）にその外周を包囲するように外嵌される被覆体（６）とを備え、被覆体（６）は硬質の内筒部（１９）と該内筒部（１９）の外周を覆う軟質の外筒部（２０）とを有していることを特徴とするグリップ。
【請求項２】
前記被覆体（６）は、ベース筒（５）にその長手方向に一列状に並んで外嵌固定される複数のリング体（２３）を具備してなり、各リング体（２３）は互いに別体に構成されていて、内筒部（１９）の一部を構成する硬質の内リング部（２５）と、該内リング部（２５）の外周を覆って前記外筒部（２０）の一部を構成する軟質の外リング部（２６）とを有していることを特徴とする請求項１に記載のグリップ。
【請求項３】
ベース筒（５）の両端部に、該ベース筒（５）の外周面よりも径外方向に突出した抜止体（１３，１４）が着脱可能に取り付けられ、前記複数のリング体（２３）はベース筒（５）に長手方向摺動自在に外嵌されると共に、隣り合うリング体（２３）の摺動を互いに規制するように抜止体（１３，１４）間に連続状に並んで配置されていることを特徴とする請求項２に記載のグリップ。
【請求項４】
前記ベース筒（５）が円筒状に形成され、ベース筒（５）の外周面に被嵌合部（８）が長手方向に設けられ、複数のリング体（２３）の内周面に被嵌合部（８）に長手方向に摺動自在でかつ周方向に回動不能に嵌合する嵌合部（２８）が設けられていることを特徴とする請求項２又は３に記載のグリップ。
【発明の詳細な説明】
【技術分野】
【０００１】
本発明は、自転車やバイク等のハンドルバーに装着されるグリップに関するものである。
【背景技術】
【０００２】
ハンドルバーに装着されるグリップには、ラバーや軟質合成樹脂等の軟質材で円筒状に形成したものがあり、このグリップを自転車等のハンドルバーに直接外嵌固定するようにしていた（例えば特許文献１〜３）。
【先行技術文献】
【特許文献】
【０００３】
【特許文献１】実開昭６０−１２１９８５号公報
【特許文献２】実開昭６１−８０１８３号公報
【特許文献３】実開昭５８−３５４８６号公報
【発明の概要】
【発明が解決しようとする課題】
【０００４】
しかし、従来では、グリップを自転車等のハンドルバーに外嵌して装着する場合、グリップは軟質であるため、特にグリップの開口端部が変形し易いことから、ハンドルバーの端部にグリップの開口端部を一致させて外嵌することが困難であるし、また、その後にグリップをハンドルバーの外周面を長手方向に摺動させて奥まで外嵌させる場合も、グリップがハンドルバーの外周面を摺動するための摺動抵抗が大きいため、その摺動も困難であった。
【０００５】
また、グリップを交換等するために、ハンドルバーからグリップを取り外す場合も、グリップがハンドルバーの外周面をスムーズに摺動させることができず、グリップの取り外しも困難であった。
従って、グリップのハンドルバーに対する取り付けや取り外しが非常に面倒であった。
本発明は上記問題点に鑑み、ハンドルバーに容易に取り付けることができると共に、取り外しも簡単になし得るグリップを提供することを目的としている。
【課題を解決するための手段】
【０００６】
本発明における課題解決のための具体的手段は、次の通りである。
この技術的課題を解決する本発明の技術的手段は、ハンドルバー３に外嵌装着される硬質のベース筒５と、ベース筒５にその外周を包囲するように外嵌される被覆体６とを備え、被覆体６は硬質の内筒部１９と該内筒部１９の外周を覆う軟質の外筒部２０とを有している点にある。
【０００７】
また、本発明の他の技術的手段は、前記被覆体６は、ベース筒５にその長手方向に一列状に並んで外嵌固定される複数のリング体２３を具備してなり、各リング体２３は互いに別体に構成されていて、内筒部１９の一部を構成する硬質の内リング部２５と、該内リング部２５の外周を覆って前記外筒部２０の一部を構成する軟質の外リング部２６とを有している点にある。
【０００８】
また、本発明の他の技術的手段は、ベース筒５の両端部に、該ベース筒５の外周面よりも径外方向に突出した抜止体１３，１４が着脱可能に取り付けられ、前記複数のリング体２３はベース筒５に長手方向摺動自在に外嵌されると共に、隣り合うリング体２３の摺動を互いに規制するように抜止体１３，１４間に連続状に並んで配置されている点にある。
また、本発明の他の技術的手段は、前記ベース筒５が円筒状に形成され、ベース筒５の外周面に被嵌合部８が長手方向に設けられ、複数のリング体２３の内周面に被嵌合部８に長手方向に摺動自在でかつ周方向に回動不能に嵌合する嵌合部２８が設けられている点にある。
【発明の効果】
【０００９】
本発明によれば、被覆体をベース筒に外嵌する際には、硬質のベース筒に被覆体の硬質の内筒部を外嵌させればよく、硬質なもの同士の嵌合となるため、被覆体の端部を硬質のベース筒の端部に簡単に一致させて外嵌できるし、被覆体をベース筒の長手方向にスムーズに摺動させることができ、被覆体をベース筒に容易に外嵌固定することができる。また、ベース筒をハンドルバーに外嵌する際にも、硬質なもの同士の嵌合となるため、ベース筒の内端部をハンドルバーの外端部に簡単に一致させて外嵌できるし、ベース筒をハンドルバーの内方にスムーズに摺動させることができ、ベース筒をハンドルバーに対して容易に外嵌固定することができる。従って、ハンドルバーに対してグリップを非常に簡単に取り付けることができる。
【００１０】
また、被覆体をベース筒から取り外す際には、被覆体をベース筒の長手方向にスムーズに摺動させることができるため、被覆体をベース筒の長手方向に摺動させて簡単に取り外すことができる。また、ベース筒をハンドルバーから取り外す際には、ベース筒をハンドルバーの長手方向にスムーズに摺動させることができるため、ベース筒をハンドルバーの長手方向に摺動させて簡単に取り外すことができる。従って、グリップをハンドルバーから容易に取り外すことができるし、被覆体の交換等も容易になし得る。
【図面の簡単な説明】
【００１１】
【図１】本発明の一実施形態を示すグリップの正面断面図である。
【図２】同グリップの平面断面図である。
【図３】同グリップの正面図である。
【図４】同グリップの分解斜視図である。
【図５】図１のＡ−Ａ線断面図である。
【図６】図１のＢ−Ｂ線断面図である。
【発明を実施するための形態】
【００１２】
以下、本発明の実施の形態を図面に基づいて説明する。
図１〜図６は本発明の一実施形態を示している。図１〜図６において、グリップ１は自転車やバイク等のハンドルバー３に装着されるもので、ハンドルバー３に外嵌固定される硬質のベース筒５と、ベース筒５にその外周を包囲するように外嵌される被覆体６とを備えている。
【００１３】
前記ベース筒５はポリプロピレン（ＰＰ）等の硬質合成樹脂や金属により硬質の円筒状に形成されている。ベース筒５の外周面に被嵌合部８が長手方向に設けられている。この被嵌合部８はベース筒５の外周面にその長手方向全長に亘って凹溝状に形成され、ベース筒５の周方向に間隔をおいて複数個（図例では径方向に一対）設けられている。
ベース筒５の両端部に複数（図例では２つ）の取付突片９がそれぞれ周方向に間隔をおいて長手方向外方に突設されている。図例では、取付突片９はベース筒５の径方向に対応して一対設けられ、ベース筒５の外端面から長手方向外方に突出している。
【００１４】
ベース筒５の両端部に、該ベース筒５の外周面よりも径外方向に突出した抜止体１３，１４がそれぞれ着脱可能に取り付けられている。
これら抜止体１３，１４はベース筒５と同様にポリプロピレン（ＰＰ）等の硬質合成樹脂や金属により円筒状に形成されている。
抜止体１３，１４の内周面に複数の取付突片９がそれぞれ嵌合する複数（図例では２つ）の嵌合溝１５が設けられ、抜止体１３，１４は複数の嵌合溝１５が取付突片９にそれぞれ嵌合した状態で、複数の取付突片９に外嵌されている。
【００１５】
抜止体１３，１４の周方向の一端部が分割されており、その分割端部同士を、例えば図６に示すように挿通孔１１に挿通されかつねじ孔１２に螺合される締付ねじやボルトナット等の締結具１７で締め付けることにより、抜止体１３，１４が複数の取付突片９に締め付けられて、ベース筒５の両端部にそれぞれ着脱可能に取り付けられている。また、ベース筒５をハンドルバー３に外嵌した状態で、抜止体１３，１４の締結具１７を締め付けることにより、ベース筒５の両端部の抜止体１３，１４及びベース筒５の複数の取付突片９をハンドルバー３の外周面上に締め付け固定するように構成されている。従って、抜止体１３，１４はベース筒５に外嵌した被覆体６（後述する複数のリング体２３）を抜け止めする機能を有すると共に、ベース筒５の両端部をハンドルバー３に締め付け固定するための固定具に兼用されている。
【００１６】
被覆体６はベース筒５の略全長わたる長さを有する円筒状であって、硬質の内筒部１９と該内筒部１９の外周を覆う軟質の外筒部２０とを有している。
また、被覆体６は、ベース筒５にその長手方向に一列状に並んで外嵌固定される複数（図例では５個）のリング体２３を具備してなり、各リング体２３は互いに別体に構成されていて、内筒部１９の一部を構成する硬質の内リング部２５と、外筒部２０の一部を構成する軟質の外リング部２６とを有している。
【００１７】
リング体２３の内リング部２５は、ベース筒５と同様にポリプロピレン（ＰＰ）等の硬質合成樹脂や金属により円形のリング状（円筒状）に形成され、外リング部２６は熱硬化性エラストマー（ＴＰＥ）やゴム等の軟質材で円形のリング状（円筒状）に形成され、内リング部２５の外周を覆っている。
前記複数のリング体２３はベース筒５に長手方向摺動自在に外嵌されると共に、隣り合うリング体２３の摺動を互いに規制するように抜止体１３，１４間に連続状に並んで配置されている。
【００１８】
而して、複数（図例では５個）のリング体２３でベース筒５に外嵌固定される円筒状の被覆体６が構成され、複数のリング体２３の内リング部２５で被覆体６の硬質の内筒部１９が構成され、複数のリング体２３の外リング部２６で被覆体６の軟質の外筒部２０が構成されている。
複数のリング体２３（内リング部２５）の内周面に被嵌合部８に長手方向に摺動自在でかつ周方向に回動不能に嵌合する嵌合部２８が設けられ、この嵌合部２８はリング体２３（内リング部２５）の内周面に凸状に形成され、リング体２３に径方向一対設けられている。
【００１９】
複数のリング体２３の内リング部２５が赤色、ピンク色、青色、緑色、黄色等の鮮やかな色彩の硬質合成樹脂で形成されること等によって、複数のリング体２３の内リング部２５の外表面には、赤色、ピンク色、青色、緑色、黄色等の鮮やかな色彩が施されている。この色彩は、複数のリング体２３の内リング部２５の外表面にそれぞれ互いに異なる色彩であってもよいし、又は互いに同一の色彩であってもよい。
【００２０】
内リング部２５の一端部に係止凹部３１が設けられ、外リング部２６の一端部の内周面に前記係止凹部３１に対応する係合凸部３２が設けられており、係合凸部３２が係止凹部３１に係合することにより外リング部２６を内リング部２５に対して廻り止めするようになっている。
なお、前記実施形態では、各リング体２３の内リング部２５と外リング部２６とをそれぞれ別体に形成した後に、内リング部２５に外リング部２６を外嵌固定するようにしているが、これに代え、各リング体２３の硬質の内リング部２５と軟質の外リング部２６とを２色成形により一体に形成するようにしてもよい。
【００２１】
ベース筒５の長手方向の一端部（外端部）に、抜止体１４の外方からベース筒５の外端部の開口を閉塞するエンドキャップ３４が設けられている。
エンドキャップ３４は、閉塞頭部３５と閉塞頭部３５から突出した嵌合突部３６とを一体に有し、エンドキャップ３４の嵌合突部３６が、抜止体１４の外方からベース筒５の外端部に挿入されて、ベース筒５が嵌合したハンドルバー３の外端部に内嵌され、これにより、閉塞頭部３５が抜止体１４の外方からベース筒５の開口を塞ぐと共に、ハンドルバー３の端部の開口を塞ぐようになっている。
【００２２】
上記実施形態によれば、自転車等のハンドルバー３にグリップ１を取り付ける場合、まず、ベース筒５に複数のリング体２３を一列状に外嵌すると共に、ベース筒５の両端部に抜止体１３，１４を外嵌固定した状態で、ベース筒５をハンドルバー３に外嵌する。又は、ベース筒５の内端部に一方の抜止体１３のみを外嵌固定した状態で、ベース筒５をハンドルバー３に外嵌し、その後にベース筒５に複数のリング体２３を一列状に外嵌すると共に、ベース筒５の外端部に他方の抜止体１４を外嵌固定する。
【００２３】
その後、各抜止体１３，１４の締結具１７を締め付けて、抜止体１３，１４及びベース筒５の複数の取付突片９をハンドルバー３に締め付け固定すると共に、エンドキャップ３４の嵌合突部３６を他方の抜止体１４の外方からベース筒５の外端部に挿入して、ハンドルバー３の外端部に内嵌固定し、閉塞頭部３５で抜止体１４の外方からベース筒５の開口を塞ぐと共に、ハンドルバー３の外端部の開口を塞げばよい。
【００２４】
上記の如く複数のリング体２３（被覆体６）をベース筒５に外嵌する際には、複数のリング体２３はその内リング部２５が硬質であるので、硬質の内リング部２５を硬質のベース筒５に外嵌させればよく、硬質なもの同士の嵌合となるため、リング体２３の端部を硬質のベース筒５の端部に簡単に一致させて外嵌できるし、複数のリング体２３をベース筒５の長手方向にスムーズに摺動させることができる。従って、被覆体６は互いに別体の複数のリング体２３で構成されているにも拘わらず、複数のリング体２３（被覆体６）をベース筒５に容易に外嵌固定することができる。
【００２５】
また、ベース筒５をハンドルバー３に外嵌する際にも、硬質なもの同士の嵌合となるため、ベース筒５の内端部をハンドルバー３の外端部に簡単に一致させて外嵌できるし、ベース筒５をハンドルバー３の内方にスムーズに摺動させることができ、ベース筒５をハンドルバー３に対して容易に外嵌固定することができる。
従って、ハンドルバー３に対してグリップ１を非常に簡単に取り付けることができる。
【００２６】
また、ハンドルバー３からグリップ１を取り外す場合、各抜止体１３，１４の締結具１７を緩めた後、ベース筒５を一対の抜止体１３，１４及び複数のリング体２３と共にハンドルバー３から抜き取ればよい。
ベース筒５をハンドルバー３から抜き取る場合には、ベース筒５とハンドルバー３とは硬質のもの同士であるため、ベース筒５をハンドルバー３の長手方向にスムーズに摺動させて簡単に抜き取ることができる。また、複数のリング体２３（被覆体６）をベース筒５から取り外す場合には、各リング体２３の内リング部２５が硬質であるため、複数のリング体２３をベース筒５の長手方向にそれぞれスムーズに摺動させて簡単に取り外すことができる。
【００２７】
従って、グリップ１をハンドルバー３から容易に取り外すことができるし、複数のリング体２３の全部又は一部の交換等も容易になし得る。
また、前記実施形態では、被覆体６は、ベース筒５にその長手方向に一列状に並んで外嵌固定される複数のリング体２３を具備してなり、各リング体２３は互いに別体に構成されているので、複数のリング体２３について、例えば、リング体２３（外リング部２６）の外表面の色彩がそれぞれ異なったものと、同一色になったものとを準備しておくことにより、外表面の色彩が互いに異なる複数のリング体２３をベース筒５に外嵌固定することによって、グリップ１全体をカラフルにすることができるし、また、外表面の色彩が同一色の複数のリング体２３をベース筒５に外嵌固定することによって、グリップ１の被覆体６部分の全体を同一色に揃えることができ、グリップ１をカラフルにしたり、単一の同一色で揃えたりして、複数のリング体２３を使用者の好みに合わせて自由に組み合わせることができ、グリップ１の彩色を美麗でかつ使用者の好みやそのときの気分等に最も適合するものになし得る。
【００２８】
また、同様に、複数のリング体２３について、リング体２３（外リング部２６）の外表面が粗い（ざらざらの）ものと、滑らかな（つるつるの）ものとをそれぞれ準備しておくことにより、使用者の好みに合わせて、グリップ１の被覆体６全体の外表面を粗いものや滑らかなもので揃えたり、外表面が粗いものと滑らかなものとを混合して組み合わせたりすることができ、使用者の好みに合わせて自由に選択することができ、グリップ１の外表面を使用者の好みやそのときの気分等に最も適合するものになし得る。
【００２９】
また、グリップ１をハンドルバー３に装着した後には、複数のリング体２３は抜止体１３，１４間に連続状に並んで配置されるので、ベース筒５の両端部にある抜止体１３，１４によって、ベース筒５に外嵌した複数のリング体２３を確実に抜け止めすることができるし、複数のリング体２３がベース筒５の長手方向に移動したりガタ付いたりするのを確実に防止できる。
【００３０】
また、ベース筒５の外周面に被嵌合部８が長手方向に設けられ、複数のリング体２３の内周面に嵌合部２８が設けられているので、ベース筒５に外嵌した複数のリング体２３が周方向に回動するのを嵌合部２８の被嵌合部８への嵌合によって確実に防ぐことができ、複数のリング体２３が不測に回転することによってグリップ１の機能が損なわれるおそれもなくなる。
【００３１】
また、抜止体１３，１４の締結具１７を締め付けることによって、ベース筒５の両端部における抜止体１３，１４及びベース筒５の複数の取付突片９をハンドルバー３の外周面上に締め付け固定して、ベース筒５乃至グリップ１がハンドルバー３に対して移動したりガタ付いたりしないように強固に固定することができる。
なお、前記実施形態では、ベース筒５にその外周を包囲するように外嵌される被覆体６は、互いに別体に構成された複数のリング体２３を具備しているが、これに代え、被覆体６を、複数のリング体２３で構成することなく、長い筒状に一体に形成された硬質の内筒部１９と長い筒状に一体に形成された軟質の外筒部２０とを互いに嵌合して構成するようにしてもよい。また、被覆体６の全体を２色成形等によって一体に形成するようにしてもよい。
【００３２】
また、前記実施形態では、ベース筒５の両端部に設けられた抜止体１３，１４は、円筒状に形成されてベース筒５の両端部をハンドルバー３に締め付け固定するための固定具に兼用しているが、これに代え、抜止体１３，１４を、ベース筒５の両端部に突設した抜止ピンや突出片その他で上記固定具とは別個に構成するようにしてもよい。
また、前記実施形態では、ベース筒５、被覆体６乃至複数のリング体２３は円筒状に形成されているが、これに代え、ベース筒５の外周面側を多角形や楕円形の筒状に形成すると共に、これに対応して被覆体６乃至複数のリング体２３を多角形や楕円形の筒状に形成するようにしてもよい。この場合、ベース筒５に被覆体６乃至複数のリング体２３を回動不能に嵌合することができるため、ベース筒５の被嵌合部８及びリング体２３の嵌合部２８を省略するようにしてもよい。
【符号の説明】
【００３３】
１      グリップ
３      ハンドルバー
５      ベース筒
６      被覆体
８      被嵌合部
１３    抜止体
１４    抜止体
１９    内筒部
２０    外筒部
２３    リング体
２５    内リング部
２６    外リング部
２８    嵌合部
【図１】
2014223818.tif 000003
【図２】
2014223818.tif 000004
【図３】
2014223818.tif 000005
【図４】
2014223818.tif 000006
【図５】
2014223818.tif 000007
【図６】
2014223818.tif 000008